(57)【要約】【課題】蛍光灯型ＬＥＤ照明装置のランニングコストを低減すること。【解決手段】本発明では、蛍光灯用に設けられた一対のソケットの間に装着し、ソケットから供給される交流電圧を直流電圧に変換して発光ダイオード（ＬＥＤ）から光を放射するように構成した直線状の蛍光灯型ＬＥＤ照明装置において、一方のソケットに電気的に接続し、ソケットから供給される交流電圧を直流電圧に変換して供給する変換回路を内蔵する電源ユニットと、他方のソケットに機械的に接続するとともに電源ユニットに電気的に接続し、電源ユニットから供給される直流電圧で発光ダイオードを発光させる発光ユニットとに分離して構成することにした。また、前記発光ユニットは、前記ソケット及び電源ユニットに対して発光ダイオードを回転可能に設けることにした。【選択図】図１
2010192224.tif 000002
【特許請求の範囲】
【請求項１】
蛍光灯用に設けられた一対のソケットの間に装着し、ソケットから供給される交流電圧を直流電圧に変換して発光ダイオード（ＬＥＤ）から光を放射するように構成した直線状の蛍光灯型ＬＥＤ照明装置において、
一方のソケットに電気的に接続し、ソケットから供給される交流電圧を直流電圧に変換して供給する変換回路を内蔵する電源ユニットと、
他方のソケットに機械的に接続するとともに電源ユニットに電気的に接続し、電源ユニットから供給される直流電圧で発光ダイオードを発光させる発光ユニットと
に分離して構成したことを特徴とする蛍光灯型ＬＥＤ照明装置。
【請求項２】
前記発光ユニットは、前記ソケット及び電源ユニットに対して発光ダイオードを回転可能に設けたことを特徴とする請求項１に記載の蛍光灯型ＬＥＤ照明装置。
【発明の詳細な説明】
【技術分野】
【０００１】
本発明は、蛍光灯用に設けられた一対のソケットの間に装着し、ソケットから供給される交流電圧を直流電圧に変換して発光ダイオード（ＬＥＤ）から光を放射するように構成した直線状の蛍光灯型ＬＥＤ照明装置に関するものである。
【背景技術】
【０００２】
従来より、主に室内の照明装置としては、交流電源を利用して放電作用を起こさせて光を放射する蛍光灯が多用されている。
【０００３】
しかしながら、蛍光灯は、放電電極のフィラメントの切断や蛍光管の表面に塗布した蛍光塗料の劣化などの原因によって、寿命が短く、長期間にわたって使用することが困難であった。
【０００４】
そのため、近年では、蛍光灯よりも寿命の長い発光ダイオードを発光体として利用し、既存の蛍光灯に代替できる構造とした蛍光灯型ＬＥＤ照明装置が提供されている。
【０００５】
従来の蛍光灯型ＬＥＤ照明装置は、蛍光灯用に設けられた一対のソケットの間に装着し、ソケットから供給される交流電圧を直流電圧に変換して発光ダイオードから光を放射するように構成しており、しかも、一対のソケットの間に装着する直線状に延びた円筒管の内部に交流電圧を直流電圧に変換する変換回路と複数の発光ダイオードとを一体的に収容した構成となっている（たとえば、特許文献１参照。）。
【先行技術文献】
【特許文献】
【０００６】
【特許文献１】特開２００１−３５１４０２号公報
【発明の概要】
【発明が解決しようとする課題】
【０００７】
ところが、上記従来の蛍光灯型ＬＥＤ照明装置では、蛍光灯用に設けられた一対のソケットの間に装着する直線状に延びた円筒管の内部に、交流電圧を直流電圧に変換する変換回路と複数の発光ダイオードとを一体的に収容していたために、発光ダイオードと比較すると寿命が短い変換回路だけが故障した場合であっても、照明装置全体を交換しなければならず、ランニングコストが増大してしまうといった問題があった。
【課題を解決するための手段】
【０００８】
そこで、請求項１に係る本発明では、蛍光灯用に設けられた一対のソケットの間に装着し、ソケットから供給される交流電圧を直流電圧に変換して発光ダイオード（ＬＥＤ）から光を放射するように構成した直線状の蛍光灯型ＬＥＤ照明装置において、一方のソケットに電気的に接続し、ソケットから供給される交流電圧を直流電圧に変換して供給する変換回路を内蔵する電源ユニットと、他方のソケットに機械的に接続するとともに電源ユニットに電気的に接続し、電源ユニットから供給される直流電圧で発光ダイオードを発光させる発光ユニットとに分離して構成することにした。
【０００９】
また、請求項２に係る本発明では、前記請求項１に係る本発明において、前記発光ユニットは、前記ソケット及び電源ユニットに対して発光ダイオードを回転可能に設けることにした。
【発明の効果】
【００１０】
そして、本発明では、以下に記載する効果を奏する。
【００１１】
すなわち、本発明では、蛍光灯用に設けられた一対のソケットの間に装着し、ソケットから供給される交流電圧を直流電圧に変換して発光ダイオード（ＬＥＤ）から光を放射するように構成した直線状の蛍光灯型ＬＥＤ照明装置において、一方のソケットに電気的に接続し、ソケットから供給される交流電圧を直流電圧に変換して供給する変換回路を内蔵する電源ユニットと、他方のソケットに機械的に接続するとともに電源ユニットに電気的に接続し、電源ユニットから供給される直流電圧で発光ダイオードを発光させる発光ユニットとに分離して構成することにしているために、変換回路だけが故障してしまっても、電源ユニットだけを交換すればよく、発光ユニットをそのまま継続して使用することができるので、ランニングコストを低減することができる。
【００１２】
また、本発明では、発光ユニットに発光ダイオードをソケット及び電源ユニットに対して回転可能に設けることにしているために、発光ユニットを回転させるだけで発光ダイオードによる照射方向を容易に変更することができる。
【図面の簡単な説明】
【００１３】
【図１】本発明に係る蛍光灯型ＬＥＤ照明装置を示す斜視図。
【図２】同平面図。
【図３】電源ユニットを示す拡大図（(a)左側面、(b)平面断面、(c)右側面、(d)側面断面、(e)正面断面）。
【図４】発光ユニットを示す拡大図（(a)平面断面、(b)正面断面、(c)左側面、(d)端部側面断面、(e)中央部側面断面）。
【図５】蛍光灯型ＬＥＤ照明装置の回路図。
【発明を実施するための形態】
【００１４】
以下に、本発明に係る蛍光灯型ＬＥＤ照明装置の具体的な構成について図面を参照しながら説明する。
【００１５】
蛍光灯型ＬＥＤ照明装置１は、図１に示すように、室内の天井などに既に蛍光灯用に設けられている一対のソケット2,3の間に装着されて、蛍光灯用に供給される交流電源を利用して光を放射する照明器具として使用される。
【００１６】
この蛍光灯型ＬＥＤ照明装置１は、図１及び図２に示すように、全体として蛍光灯と同様に直線状の円筒形状となっており、電源ユニット４と発光ユニット５とに着脱自在に分離可能に構成している。
【００１７】
電源ユニット４は、蛍光灯用に設けられた一対のソケット2,3のうちの一方のソケット２に電気的に接続され、一方のソケット２から供給される交流電圧を直流電圧に変換して発光ユニット５に供給するための変換回路６を内蔵している。
【００１８】
すなわち、図３に示すように、電源ユニット４は、右側部を開口させた筒型状のケーシング７の内部に円板状の仕切壁８を取付けてケーシング７の内部を変換回路６を収容するための回路収容部９と発光ユニット５の端部を保持するための発光ユニット保持部10とに区画している。
【００１９】
また、電源ユニット４は、ケーシング７の回路収容部９に基板11を取付けるとともに、基板11に変換回路６を実装している。
【００２０】
さらに、電源ユニット４は、ケーシング７の左側部に蛍光灯用のソケット２の一対のジャックに挿入するための一対のピンからなるコネクタ12を形成し、このコネクタ12を基板11に電気的に接続し、また、仕切壁８に蛍光灯用のソケット2,3に用いられる一対のジャックと同様のコネクタ13を形成し、このコネクタ13を基板11に電気的に接続している。
【００２１】
そして、電源ユニット４は、蛍光灯用に設けられたソケット２から供給される交流電圧をコネクタ12を介して変換回路６で直流電圧に変換し、コネクタ13に接続される発光ユニット５に供給するようにしている。
【００２２】
発光ユニット５は、蛍光灯用に設けられた一対のソケット2,3のうちの電源ユニット４を接続していない他方のソケット３に機械的に接続されるとともに、電源ユニット４に電気的に接続され、電源ユニット４から供給される直流電圧で発光する発光ダイオード14を内蔵している。
【００２３】
すなわち、図４に示すように、発光ユニット５は、中空円筒状の透明なケーシング15の内部に矩形板状の基板16を収容し、基板16の表面に複数個の発光ダイオード14からなる発光回路17を実装している。
【００２４】
また、発光ユニット５は、ケーシング15の左右側部に円筒状のボス18,19を形成するとともに、各ボス18,19に有底筒状のキャップ20,21を回転自在に装着し、各キャップ20,21の外側に蛍光灯用のソケット2,3の一対のジャックに挿入できる一対のピンからなるコネクタ22,23を形成している。
【００２５】
さらに、発光ユニット５は、一方のボス18の外周だけに基板16と電気的に接続した一対の電極24,25を形成するとともに、一方のキャップ20の内周だけにコネクタ22と電気的に接続した一対の電極26,27を形成し、所定角度範囲内においてキャップ20を回転させてもコネクタ22と基板16とが電極24〜27を介して導通するようにしている。なお、他方のボス19とキャップ21とは絶縁されている。
【００２６】
そして、発光ユニット５は、電源ユニット４のコネクタ13から供給される直流電圧がコネクタ22と電極24〜27とを介して基板16に実装した発光回路17に印加され、発光ダイオード14を発光させるようにしている。
【００２７】
また、発光ユニット５は、ケーシング15をソケット３及び電源ユニット４にキャップ20,21を介して回転可能に支持しているため、ケーシング15を回転させるだけで発光ダイオード14をソケット３及び電源ユニット４に対して回転させることができるようになっている。
【００２８】
蛍光灯型ＬＥＤ照明装置１は、以上に説明したように構成しており、図５に示すように、電源安定器28から一対のソケット2,3のジャックに供給される交流電圧を、一方のソケット２からコネクタ12を介して電源ユニット４の変換回路６に供給し、変換回路６で交流電圧を直流電圧に変換し、変換回路６からコネクタ22と電極24〜27を介して発光ユニット５の発光回路17に供給し、発光回路17で発光ダイオード14を発光させるようにしており、他方のソケット３と発光ユニット５とはコネクタ23を介して機械的に接続しているだけで電気的には接続されないようにして基板16の表面の配線をなくしている。
【００２９】
このように、蛍光灯型ＬＥＤ照明装置１は、発光ユニット５とソケット３とを機械的に接続しているために、発光ユニット５を両端のコネクタ22,23で回転可能に保持することができ、発光ユニット５の脱落を防止することができるとともに、発光ユニット５の回転を容易なものとしている。なお、発光ユニット５の電源ユニット４に接続するコネクタ22や電源ユニット４のコネクタ13は、互いに挿脱できればよく、ソケット３に機械的にだけ接続されるコネクタ23やソケット３に設けられたジャックとは挿脱できないように形状を異ならせて誤挿入を防止できるようにしてもよい。
【００３０】
以上に説明したように、上記蛍光灯型ＬＥＤ照明装置１は、一方のソケット２に電気的に接続し、ソケット２から供給される交流電圧を直流電圧に変換して供給する変換回路６を内蔵する電源ユニット４と、他方のソケット３に機械的に接続するとともに電源ユニット４に電気的に接続し、電源ユニット４から供給される直流電圧で発光ダイオード14を発光させる発光ユニット５とに分離して構成している。
【００３１】
そのため、上記構成の蛍光灯型ＬＥＤ照明装置１では、変換回路６だけが故障してしまっても、電源ユニット４だけを交換すればよく、発光ユニット５をそのまま継続して使用することができるので、ランニングコストを低減することができる。
【００３２】
また、上記蛍光灯型ＬＥＤ照明装置１では、発光ユニット５に発光ダイオード14をソケット３及び電源ユニット４に対して回転可能に設けた構成としている。
【００３３】
そのため、上記構成の蛍光灯型ＬＥＤ照明装置１では、発光ユニット５を回転させるだけで発光ダイオード14による照射方向を容易に変更することができる。
【符号の説明】
【００３４】
１  蛍光灯型ＬＥＤ照明装置          2,3  ソケット
４  電源ユニット                    ５  発光ユニット
６  変換回路                        ７  ケーシング
８  仕切壁                          ９  回路収容部
10  発光ユニット保持部              11  基板
12,13  コネクタ                     14  発光ダイオード
15  ケーシング                      16  基板
17  発光回路                        18,19  ボス
20,21  キャップ                     22,23  コネクタ
24〜27  電極                        28  電源安定器
【図１】
2010192224.tif 000003
【図２】
2010192224.tif 000004
【図３】
2010192224.tif 000005
【図４】
2010192224.tif 000006
【図５】
2010192224.tif 000007
【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
蛍光灯用に設けられた一対のソケットの間に装着し、ソケットから供給される交流電圧を直流電圧に変換して発光ダイオード（ＬＥＤ）から光を放射するように構成した直線状の蛍光灯型ＬＥＤ照明装置において、
一方のソケットに電気的に接続し、ソケットから供給される交流電圧を直流電圧に変換して供給する変換回路を内蔵する電源ユニットと、
他方のソケットに機械的に接続するとともに電源ユニットに電気的に接続し、電源ユニットから供給される直流電圧で発光ダイオードを発光させる発光ユニットと
に分離して構成し、
前記発光ユニットは、円筒状のケーシングに発光ダイオードを収容し、
前記電源ユニットは、発光ユニットのケーシングよりも大径に形成した筒型状のケーシングの内部に仕切壁を取付けて内部を変換回路を収容するための回路収容部と発光ユニットの端部を保持するための発光ユニット保持部とに区画したことを特徴とする蛍光灯型ＬＥＤ照明装置。
【請求項２】
前記発光ユニットは、前記ソケット及び電源ユニットに対して発光ダイオードを回転可能に設けたことを特徴とする請求項１に記載の蛍光灯型ＬＥＤ照明装置。
【手続補正２】
【補正対象書類名】明細書
【補正対象項目名】０００８
【補正方法】変更
【補正の内容】
【０００８】
そこで、請求項１に係る本発明では、蛍光灯用に設けられた一対のソケットの間に装着し、ソケットから供給される交流電圧を直流電圧に変換して発光ダイオード（ＬＥＤ）から光を放射するように構成した直線状の蛍光灯型ＬＥＤ照明装置において、一方のソケットに電気的に接続し、ソケットから供給される交流電圧を直流電圧に変換して供給する変換回路を内蔵する電源ユニットと、他方のソケットに機械的に接続するとともに電源ユニットに電気的に接続し、電源ユニットから供給される直流電圧で発光ダイオードを発光させる発光ユニットとに分離して構成し、発光ユニットは、円筒状のケーシングに発光ダイオードを収容し、電源ユニットは、発光ユニットのケーシングよりも大径に形成した筒型状のケーシングの内部に仕切壁を取付けて内部を変換回路を収容するための回路収容部と発光ユニットの端部を保持するための発光ユニット保持部とに区画することにした。